(57)【要約】【課題】  組み立て作業性および配線作業性が良く、且つ楽器本体の簡素化を図り、楽器全体の薄型化および小型化をも図ることができる電子鍵盤楽器を提供する。【解決手段】  鍵盤シャーシ２上に複数の鍵４を配列し、この複数の鍵４における端部に回路基板１３を配置し、この状態でねじ部材２３によって回路基板１３を鍵４と共に鍵盤シャーシ２に取り付けた。従って、鍵盤シャーシ２に鍵４および回路基板１３を取り付けた状態で、複数の鍵４の隙間調整や回路基板１３の接続配線ができると共に、製品前の検査をも行うことができる。このため、組み立て作業性および配線作業性が良いばかりか、複数の鍵４の端部を覆い隠すための楽器本体１の上部ケース３を簡素化でき、また上部ケース３の厚みを薄く形成できると共に、回路基板１３を演奏者側に近づけて前後方向の長さを短くすることができるので、楽器全体の薄型化および小型化をも図ることができる。【選択図】        図２
2011043595.tif 000002
【特許請求の範囲】
【請求項１】
鍵盤シャーシと、
この鍵盤シャーシ上に配列される複数の鍵と、
この複数の鍵を上下方向に変位可能な状態で前記複数の鍵における端部を前記鍵盤シャーシ上に取り付けるための締結部材と、
前記複数の鍵における前記端部に配置され、且つ前記締結部材によって前記鍵と共に前記鍵盤シャーシに対して取り付けられる回路基板と
を備えていることを特徴とする電子鍵盤楽器。
【請求項２】
前記複数の鍵は、その端部にそれぞれ設けられて前記各鍵をそれぞれ上下方向に変位可能に保持する屈曲部と、この屈曲部がそれぞれ前記鍵の配列方向に並んで連結される共通連結部とを備えており、
この共通連結部は、その所定箇所が前記締結部材によって前記鍵盤シャーシ上に取り付けられていることを特徴する請求項１に記載の電子鍵盤楽器。
【請求項３】
前記共通連結部には位置規制用の突起部が設けられており、前記鍵盤シャーシには前記突起部が嵌合する位置決め孔が設けられており、前記回路基板は前記突起部に対応する箇所にも取り付けられていることを特徴とする請求項２に記載の電子鍵盤楽器。
【請求項４】
前記共通連結部には、これと前記回路基板との間に隙間を設けるための支持突起部が設けられていることを特徴する請求項２に記載の電子鍵盤楽器。
【請求項５】
前記締結部材は、前記共通連結部を前記鍵盤シャーシに取り付けるための第１ねじ部材と、前記回路基板を前記共通連結部に取り付けるための第２ねじ部材とを備えていることを特徴とする請求項２〜請求項４のいずれかに記載の電子鍵盤楽器。
【請求項６】
前記鍵盤シャーシには、前記回路基板を支持する補助支持部が設けられていることを特徴する請求項１〜請求項５のいずれかに記載の電子鍵盤楽器。
【請求項７】
前記鍵盤シャーシおよび前記回路基板を収容するための下部ケースと上部ケースとを有する楽器本体を備えており、
前記鍵盤シャーシは前記下部ケース内に配置されており、前記回路基板は、これに搭載された電子部品の一部が前記上部ケースから上方に露出した状態で、前記楽器本体内に配置されていることを特徴とする請求項１〜請求項６のいずれかに記載の電子鍵盤楽器。
【発明の詳細な説明】
【技術分野】
【０００１】
この発明は、電子ピアノなどの電子鍵盤楽器に関する。
【背景技術】
【０００２】
従来、電子鍵盤楽器においては、特許文献１に記載されているように、鍵盤シャーシ上に複数の鍵を配列し、この複数の鍵の後部を覆う上部ケースの内面にボス部を設け、このボス部を鍵の後部上に押し当て、この状態で鍵盤シャーシの下側から鍵の後部を通してビスを上部ケースのボス部に螺入させて締め付けることにより、複数の鍵を上部ケースと共に鍵盤シャーシ上に取り付けるように構成されたものが知られている。この場合、上部ケースの内部には、操作スイッチなどの電子部品を搭載した回路基板が上部ケースのボス部を利用して取り付けられている。
【先行技術文献】
【特許文献】
【０００３】
【特許文献１】特開平１０−１７１４４２号公報
【発明の概要】
【発明が解決しようとする課題】
【０００４】
しかしながら、このような従来の電子鍵盤楽器では、鍵盤シャーシ上に複数の鍵を配列すると共に、上部ケースの内部に回路基板を組み付け、この状態で上部ケースのボス部を鍵の後部上に押し当て、鍵盤シャーシの下側から鍵の後部を通してビスを上部ケースのボス部に螺入させることにより、複数の鍵を上部ケースと共に鍵盤シャーシ上に取り付けているので、鍵盤シャーシ上に配列された複数の鍵が位置ずれしないように組み立てることが難しいという問題がある。
【０００５】
また、この電子鍵盤楽器では、組み立てた後は複数の鍵の端部が上部ケースで覆われてしまうため、組み立て後に複数の鍵間の隙間を調整することが難しいばかり、組み立て後に回路基板を電気的に接続する配線作業も面倒であるほか、修理や点検などの際に上部ケースを取り外して分解しなければならないため、修理や点検などの作業が面倒であるという問題もある。
【０００６】
さらに、この電子鍵盤楽器では、上部ケース内のボス部によって上部ケース内に取り付けられる回路基板の取付位置が制約を受けるため、回路基板に搭載された操作スイッチなどの電子部品を鍵の後方の離れた位置に設けなければならず、回路基板が鍵の後方に向けて長くなり、このため楽器全体が前後方向に長くなり、楽器全体が大型化するという問題もある。
【０００７】
また、この電子鍵盤楽器では、上部ケースの内面にボス部を一体に形成しているため、鍵盤シャーシに対する取付位置および複数の鍵に対する取付位置に正確に対応するように、上部ケースにボス部を形成する必要があり、上部ケースの製作に高い精度が要求されるため、上部ケースの製作が面倒で煩雑であると共に、上部ケースの樹脂成形時に上部ケースの表面にボス部によるひけが発生するほか、ボス部によって楽器全体の厚みが厚くなるなどの問題もある。
【０００８】
この発明が解決しようとする課題は、組み立て作業性および配線作業性が良く、且つ楽器ケースの簡素化を図り、楽器全体の薄型化および小型化をも図ることができる電子鍵盤楽器を提供することである。
【課題を解決するための手段】
【０００９】
この発明は、上記課題を解決するために、次のような構成要素を備えている。
請求項１に記載の発明は、鍵盤シャーシと、この鍵盤シャーシ上に配列される複数の鍵と、この複数の鍵を上下方向に変位可能な状態で前記複数の鍵における端部を前記鍵盤シャーシ上に取り付けるための締結部材と、前記複数の鍵における前記端部に配置され、且つ前記締結部材によって前記鍵と共に前記鍵盤シャーシに対して取り付けられる回路基板とを備えていることを特徴とする電子鍵盤楽器である。
【００１０】
請求項２に記載の発明は、前記複数の鍵が、その端部にそれぞれ設けられて前記各鍵を上下方向に変位可能に保持する屈曲部と、この屈曲部がそれぞれ前記鍵の配列方向に並んで連結される共通連結部とを備えており、この共通連結部は、その所定箇所が前記締結部材によって前記鍵盤シャーシに取り付けられていることを特徴する請求項１に記載の電子鍵盤楽器である。
【００１１】
請求項３に記載の発明は、前記共通連結部に、位置規制用の突起部が設けられており、前記鍵盤シャーシには前記突起部が嵌合する位置決め孔が設けられており、前記回路基板は前記突起部に対応する箇所にも取り付けられていることを特徴とする請求項２に記載の電子鍵盤楽器である。
【００１２】
請求項４に記載の発明は、前記共通連結部に、これと前記回路基板との間に隙間を設けるための支持突起部が設けられていることを特徴する請求項２に記載の電子鍵盤楽器である。
【００１３】
請求項５に記載の発明は、前記締結部材が、前記共通連結部を前記鍵盤シャーシに取り付けるための第１ねじ部材と、前記回路基板を前記共通連結部に取り付けるための第２ねじ部材とを備えていることを特徴とする請求項２〜請求項４のいずれかに記載の電子鍵盤楽器である。
【００１４】
請求項６に記載の発明は、前記鍵盤シャーシに、前記回路基板を支持する補助支持部が設けられていることを特徴する請求項１〜請求項５のいずれかに記載の電子鍵盤楽器である。
【００１５】
請求項７に記載の発明は、前記鍵盤シャーシおよび前記回路基板を収容するための下部ケースと上部ケースとを有する楽器本体を備えており、前記鍵盤シャーシは前記下部ケース内に配置されており、前記回路基板は、これに搭載された電子部品の一部が前記上部ケースから上方に露出した状態で、前記楽器本体内に配置されていることを特徴とする請求項１〜請求項６のいずれかに記載の電子鍵盤楽器である。
【発明の効果】
【００１６】
この発明によれば、鍵盤シャーシ上に複数の鍵を配列し、この複数の鍵における端部に回路基板を配置し、この状態で締結部材によって回路基板を鍵と共に鍵盤シャーシに取り付けることができる。このため、鍵盤シャーシに鍵および回路基板を取り付けた状態で、複数の鍵間の隙間調整や回路基板の接続配線ができると共に、製品前の検査をも行うことができるので、組み立て作業性および配線作業性が良い。
【００１７】
また、複数の鍵の端部を覆い隠すための楽器本体の上部ケースを簡素化できるほか、上部ケースを回路基板および鍵の端部上面に近づけることができるので、上部ケースの厚みを薄く形成できると共に、回路基板を演奏者に近づけることができるので、鍵盤シャーシおよび上部ケースの前後方向の長さを短くすることができ、これにより楽器全体の薄型化および小型化をも図ることができる。
【図面の簡単な説明】
【００１８】
【図１】この発明を適用した電子鍵盤楽器の実施形態１を示した一部破断した正面図である。
【図２】図１の電子鍵盤楽器のＡ−Ａ矢視における拡大断面図である。
【図３】図１における複数の鍵の要部を示し、（ａ）はその拡大正面図、（ｂ）はそのＢ−Ｂ矢視における断面図である。
【図４】図３の複数の鍵における白鍵ユニットを示し、（ａ）はその白鍵ユニットの拡大正面図、（ｂ）はそのＣ−Ｃ矢視における断面図である。
【図５】図３の複数の鍵における黒鍵ユニットを示し、（ａ）はその黒鍵ユニットの拡大正面図、（ｂ）はそのＤ−Ｄ矢視における断面図である。
【図６】図２における鍵盤シャーシの鍵支持部上に鍵の共通連結部と共に回路基板を取り付けた箇所の要部を示した拡大断面図である。
【図７】この発明を適用した電子鍵盤楽器の実施形態２において複数の鍵の要部を示した拡大正面図である。
【図８】図７のＥ−Ｅ矢視における拡大断面図である。
【図９】図７のＦ−Ｆ矢視における拡大断面図である。
【図１０】図７のＧ−Ｇ矢視における拡大断面図である。
【図１１】この発明を適用した電子鍵盤楽器の実施形態３を示した拡大断面図である。
【図１２】図１１における複数の鍵の要部を示した拡大正面図である。
【図１３】図１２のＨ−Ｈ矢視における拡大断面図である。
【図１４】図１２のＩ−Ｉ矢視における拡大断面図である。
【図１５】図１２のＪ−Ｊ矢視における拡大断面図である。
【図１６】この発明を適用した電子鍵盤楽器の実施形態４を示した拡大断面図である。
【発明を実施するための形態】
【００１９】
（実施形態１）
以下、図１〜図６を参照して、この発明を適用した電子鍵盤楽器の実施形態１について説明する。
この電子鍵盤楽器は、図１および図２に示すように、楽器本体１を備えている。この楽器本体１は、下ケースを兼ねる鍵盤シャーシ２と上部ケース３とを備えている。鍵盤シャーシ２は、図２に示すように、その上部に複数の鍵４が上下方向に変位可能に配列されるように構成されている。
【００２０】
すなわち、鍵盤シャーシ２の前端部（図２では左端部）には、鍵４の前端面における下部を覆う前カバー部５が設けられている。この前カバー部５の後側（図２では右側）における上部下面には、鍵４の上限位置を規制する上限ストッパ６が前カバー部５とほぼ同じ高さで設けられていると共に、この上限ストッパ６の後側下部には、鍵４の下限位置を規制する下限ストッパ７が鍵盤シャーシ２の底部側に位置して設けられている。
【００２１】
また、この鍵盤シャーシ２における下限ストッパ７の後側（図２では右側）には、図２に示すように、鍵４内に下側から挿入して鍵４の横振れを防ぐ鍵ガイド部８が前カバー部５と同じ高さ位置から上方に突出して設けられている。この鍵ガイド部８の後側（図２では右側）には、後述するスイッチ基板１０を搭載する基板搭載部１１が前カバー部５とほぼ同じ高さで設けられている。
【００２２】
また、この鍵盤シャーシ２における基板搭載部１１の後側（図２では右側）には、図２に示すように、複数の鍵４を配列させた状態で支持する鍵支持部１２が前カバー部５よりも高い位置に設けられている。この鍵支持部１２の後側（図２では右側）には、後述する回路基板１３を補助的に支持する補助支持部１４が鍵支持部１２よりも少し高い位置に設けられている。
【００２３】
さらに、この鍵盤シャーシ２における補助支持部１４の後側（図２では右側）には、図２に示すように、上部ケース３を取り付けるためのほぼ円筒状のボス部１５が前カバー部５とほぼ同じ高さで設けられている。このボス部１５の後側には、上部ケースの後端部が接合する後カバー部１６が前カバー部５とほぼ同じ高さで設けられている。
【００２４】
ところで、この鍵盤シャーシ２上に配列される複数の鍵４は、図３〜図５に示すように、白鍵ユニット１７と黒鍵ユニット１８とを備えている。白鍵ユニット１７は、図４（ａ）および図４（ｂ）に示すように、複数の白鍵１７ａの各後端部に肉厚の薄い屈曲部１７ｂがそれぞれ形成され、この各屈曲部１７ｂが白鍵１７ａの配列方向に沿って連続する帯状の共通連結部１７ｃにそれぞれ並んだ状態で連結形成された構成になっている。
【００２５】
また、黒鍵ユニット１８は、図５（ａ）および図５（ｂ）に示すように、複数の黒鍵１８ａの各後端部に肉厚の薄い屈曲部１８ｂがそれぞれ形成され、この各屈曲部１８ｂが黒鍵１８ａの配列方向に沿って連続する帯状の共通連結部１８ｃにそれぞれ並んだ状態で連結形成された構成になっている。この場合、白鍵ユニット１７の共通連結部１７ｃの所定箇所、および黒鍵ユニット１８の共通連結部１８ｃの所定箇所には、それぞれ取付孔２０が互いに対応して設けられている。
【００２６】
また、白鍵ユニット１７の各白鍵１７ａおよび黒鍵ユニット１８の各黒鍵１８ａの各下面には、図３（ｂ）、図４（ｂ）、および図５（ｂ）に示すように、鍵４が押鍵された際に、鍵盤シャーシ２の基板搭載部１１に設けられたスイッチ基板１０のゴムスイッチ１０ａを押圧するスイッチ押圧部２１がそれぞれ下側に突出して設けられている。この場合、ゴムスイッチ１０ａは、スイッチ押圧部２１によって押圧されると、弾性変形して楽音を発音させるためのスイッチ信号を出力するように構成されている。
【００２７】
さらに、この白鍵１７ａおよび黒鍵１８ａの各下面には、図３（ｂ）、図４（ｂ）、および図５（ｂ）に示すように、それぞれストッパ片２２が設けられている。このストッパ片２２は、鍵４が押鍵された際に、鍵盤シャーシ２の下限ストッパ７に当接して鍵４の下限位置を規制し、また押鍵された鍵４が初期位置に復帰した際に上限ストッパ６に当接して鍵４の上限位置を規制するように構成されている。
【００２８】
そして、白鍵ユニット１７と黒鍵ユニット１８とは、図１〜図３、および図６に示すように、白鍵ユニット１７の各白鍵１７ａ間に黒鍵ユニット１８の各黒鍵１８ａが配置されて、白鍵ユニット１７の共通連結部１７ｃが黒鍵ユニット１８の共通連結部１８ｃ上に重なり合うように構成されている。
【００２９】
また、この白鍵ユニット１７と黒鍵ユニット１８とは、図６に示すように、その両者の各共通連結部１７ｃ、１８ｃを重ね合わせると、各共通連結部１７ｃ、１８ｃにそれぞれ設けられた取付孔２０が互いに対応し、この状態で重なり合った共通連結部１７ｃ、１８ｃが鍵盤シャーシ２の鍵支持部１２上に配置されるように構成されている。
【００３０】
さらに、この白鍵ユニット１７と黒鍵ユニット１８とは、図６に示すように、各共通連結部１７ｃ、１８ｃにそれぞれ設けられて互いに対応した取付孔２０にねじ部材２３を上方から挿入させ、この挿入したねじ部材２３を鍵盤シャーシ２の鍵支持部１２に設けられたボス部１２ａのねじ孔１２ｂに螺入させて締め付けることにより、鍵盤シャーシ２の鍵支持部１２上に取り付けられるように構成されている。
【００３１】
この場合、白鍵ユニット１７と黒鍵ユニット１８との各共通連結部１７ｃ、１８ｃ上には、図２および図６に示すように、回路基板１３が配置されている。すなわち、この回路基板１３は、鍵４の配列方向に沿って長い平板状に形成されている。この回路基板１３は、その前辺部（図２では左辺部）が白鍵ユニット１７と黒鍵ユニット１８との各共通連結部１７ｃ、１８ｃ上に配置された状態で、ねじ部材２３によって各共通連結部１７ｃ、１８ｃと共に鍵盤シャーシ２の鍵支持部１２上に取り付けられている。
【００３２】
また、この回路基板１３は、図２に示すように、その後辺部（図２では右辺部）が鍵盤シャーシ２の補助支持部１４上に配置されてねじ部材２４によって取り付けられている。この場合、回路基板１３の後辺部には、ねじ部材２４が挿入する取付孔１３ａが白鍵ユニット１７と黒鍵ユニット１８との各共通連結部１７ｃ、１８ｃに設けられた各取付孔２０に対応して設けられている。また、この回路基板１３には、図１および図２に示すように、操作スイッチ２５、表示パネル２６、および発光ダイオード（ＬＥＤ）からなるランプ２７などの各種の電子部品が搭載されている。
【００３３】
この回路基板１３の上方には、楽器本体１の上部ケース３が配置されている。この上部ケース３は、図１および図２に示すように、鍵４の後部および両側部を覆い隠すものである。すなわち、この上部ケース３は、その内面に設けられたボス部２９が鍵盤シャーシ２のボス部１５にビス３０によって取り付けられることにより、上部ケース３の前部が鍵４の後部上方に位置して、上部ケース３の後端下部が鍵盤シャーシ２の後カバー部１６の上部に当接し、この状態で鍵盤シャーシ２上に取り付けられるように構成されている。
【００３４】
この場合、上部ケース３には、図１および図２に示すように、回路基板１３上に設けられた各種の電子部品、つまり操作スイッチ２５、表示パネル２６、およびランプ２７を上方に露出されるための複数の開口孔３１が設けられている。このため、上部ケース３は、図２に示すように、その上面が回路基板１３に接近するように鍵４の後部からの高さが低く形成されている。
【００３５】
次に、このような電子鍵盤楽器を組み立てる場合について説明する。
まず、図３（ａ）および図３（ｂ）に示すように、白鍵ユニット１７の各白鍵１７ａ間に黒鍵ユニット１８の各黒鍵１８ａを配置して、白鍵ユニット１７の共通連結部１７ｃを黒鍵ユニット１８の共通連結部１８ｃ上に重ね合わせると共に、各共通連結部１７ｃ、１８ｃにそれぞれ設けられた取付孔２０を互いに対応させる。
【００３６】
この状態で、図２に示すように、重ね合わされた共通連結部１７ｃ、１８ｃを鍵盤シャーシ２の鍵支持部１２上に配置すると共に、この共通連結部１７ｃ、１８ｃ上に回路基板１３を配置する。このときには、回路基板１３に設けられた取付孔１３ａを共通連結部１７ｃ、１８ｃの取付孔２０に対応させる。また、回路基板１３には、予め、操作スイッチ２５、表示パネル２６、およびランプ２７などの各種の電子部品を搭載しておく。
【００３７】
この後、白鍵ユニット１７と黒鍵ユニット１８との各共通連結部１７ｃ、１８ｃにそれぞれ設けられて互いに対応した取付孔２０および回路基板１３の取付孔１３ａに、ねじ部材２３を上方から挿入させ、この挿入されたねじ部材２３を鍵盤シャーシ２の鍵支持部１２に設けられたボス部１２ａのねじ孔１２ｂに螺入させて締め付ける。
【００３８】
これにより、鍵盤シャーシ２の鍵支持部１２上に白鍵ユニット１７と黒鍵ユニット１８との各共通連結部１７ｃ、１８ｃおよび回路基板１３が取り付けられる。また、このときには、回路基板１３の後辺部を鍵盤シャーシ１の補助支持部１４上にねじ部材２４によって取り付ける。この状態では、上部ケース３が取り付けられていないため、複数の鍵４間の隙間調節ができると共に、スイッチ基板１０と回路基板１３との接続配線が容易にできるほか、出荷前の製品としての検査もできる。
【００３９】
この後、上部ケース３を鍵盤シャーシ２に取り付ける。このときには、上部ケース３の前端部を鍵４の後部上に配置して、上部ケース３の各開口孔３１に、回路基板１３に搭載された操作スイッチ２５、表示パネル２６、およびランプ２７を対応させて上方に露出させると共に、上部ケース３のボス部２９を鍵盤シャーシ２のボス部１５に対応させてビス３０によって取り付ける。これにより、電子鍵盤楽器が組み立てられる。
【００４０】
次に、このような電子鍵盤楽器を使用して演奏する場合について説明する。
この場合には、予め、図１に示すように、上部ケース３の上側に露出した表示パネル２６を見ながら、操作スイッチ２５を操作して音量や音色などの基本的な条件を設定する。この状態で、鍵盤シャーシ２上に配列された複数の鍵４を押鍵する。
【００４１】
このとき、鍵４のうち、白鍵１７ａが押鍵操作されると、白鍵１７ａの後端部の屈曲部１７ｂが屈曲し、この屈曲部１７ｂの屈曲に応じて白鍵１７ａが下側に変位する。このときには、白鍵１７ａのスイッチ押圧部２１が鍵盤シャーシ１のスイッチ基板１０に設けられたゴムスイッチ１０ａを押圧して弾性変形させる。これにより、ゴムスイッチ１０ａがオン信号を出力して楽音を発音させる。
【００４２】
同様に、鍵４の黒鍵１８ａが押鍵操作されると、黒鍵１８ａの後端部の屈曲部１８ｂが屈曲し、この屈曲部１８ｂの屈曲に応じて黒鍵１８ａが下側に変位する。このときには、黒鍵１８ａのスイッチ押圧部２１が鍵盤シャーシ１のスイッチ基板１０に設けられたゴムスイッチ１０ａを押圧して弾性変形させるので、白鍵１７ａと同様、ゴムスイッチ１０ａがオン信号を出力して楽音を発音させる。
【００４３】
このように、この電子鍵盤楽器によれば、鍵盤シャーシ２上に複数の鍵４を配列し、この複数の鍵４における後端部上に回路基板１３を配置し、この状態でねじ部材２３によって回路基板１３を鍵４と共に鍵盤シャーシ２の鍵支持部１２に取り付けることができる。このため、鍵盤シャーシ１に鍵４および回路基板１３を取り付けた状態で、上部ケース３を取り付ける前に、複数の鍵４間の隙間調整ができると共に、スイッチ基板１０と回路基板１３との接続配線ができるほか、製品前の検査をも行うことができるので、組み立て作業性および配線作業性の良いものを提供することができる。
【００４４】
また、この電子鍵盤楽器では、上部ケース３を取り付ける前に、回路基板１３が鍵４と共に鍵盤シャーシ２の鍵支持部１２に取り付けられているので、修理や点検の際に、上部ケース３を取り外すだけで、容易に且つ簡単に修理や点検ができる。また、回路基板１３が鍵４と共に鍵盤シャーシ２の鍵支持部１２に取り付けられていることにより、回路基板１３を演奏者側に最も近づけて配置することができると共に、回路基板１３に搭載される操作スイッチ２５、表示パネル２６、およびランプ２７などの電子部品を演奏者に近づけて操作性を向上させることができるほか、上部ケース３および鍵盤シャーシ２の前後方向の長さを短くすることができるので、楽器全体の小型化をも図ることができる。
【００４５】
さらに、この電子鍵盤楽器では、複数の鍵４の後端部を覆い隠すための楽器本体１の上部ケース３に、操作スイッチ２５、表示パネル２６、およびランプ２７を上方に露出させるための複数の開口孔３１を設けるだけで良いので、上部ケース３の簡素化を図ることができると共に、上部ケース３の内面（図２では下面）を回路基板１３に接近させることができるので、上部ケース３の高さを黒鍵１８ａの高さとほぼ同じ高さにすることができ、これにより上部ケース３の厚みを薄くして、楽器全体の薄型化をも図ることができる。
【００４６】
この場合、複数の鍵４は、白鍵ユニット１７と黒鍵ユニット１８とを備えており、白鍵ユニット１７は、白鍵１７ａの後端部にそれぞれ屈曲部１７ｂを設け、この屈曲部１７ｂを鍵の配列方向に沿って連続する共通連結部１７ｃに並べた状態で連結し、また黒鍵ユニット１８は、黒鍵１８ａの端部にそれぞれ屈曲部１８ｂを設け、この屈曲部１８ｂを鍵の配列方向に沿って連続する共通連結部１８ｃに並べた状態で連結した構成であるから、白鍵１７ａの間に黒鍵１８ａを配置させて共通連結部１７ｃ、１８ｃを重ね合わせることにより、複数の鍵４を一度に配列することができる。
【００４７】
また、共通連結部１７ｃ、１８ｃは、その両者を互いに重ね合わせて、鍵盤シャーシ２の鍵支持部１２上に配置した状態で、共通連結部１７ｃ、１８ｃの所定箇所をねじ部材２３によって鍵盤シャーシ２上に取り付けているので、複数の鍵４を鍵盤シャーシ２上に配置させた状態で、一度に鍵盤シャーシ２に取り付けることができ、これにより鍵４の取付作業性を向上させることができる。
【００４８】
また、鍵盤シャーシ２には、回路基板１３を支持する補助支持部１４が設けられていることにより、鍵盤シャーシ２の鍵支持部１２にねじ部材２３によって鍵４と共に取り付けられた回路基板１３を補助支持部１４にも取り付けることができ、これにより回路基板１３が前後方向に長く形成されていても、回路基板１３を安定した状態で鍵盤シャーシ２に確実に且つ強固に固定することができる。
【００４９】
（実施形態２）
次に、図７〜図１０を参照して、この発明を適用した電子鍵盤楽器の実施形態２について説明する。なお、図１〜図６に示された実施形態１と同一部分には同一符号を付して説明する。
この電子鍵盤楽器は、図７および図１０に示すように、複数の鍵４の共通連結部１７ｃ、１８ｃの一方に位置規制用の突起部３６を設けると共に、鍵盤シャーシ２の鍵支持部１２に位置決め孔３５を設け、この位置決め孔３５に位置規制用の突起部３６を挿入させることにより、鍵盤シャーシ２に対して複数の鍵４を位置決めした構成であり、これ以外は実施形態１とほぼ同じ構成になっている。
【００５０】
すなわち、位置決め孔３５は、図９および図１０に示すように、鍵盤シャーシ２の鍵支持部１２における所定箇所、つまり鍵支持部１２に設けられたボス部１２ａから離れた箇所に設けられている。また、複数の鍵４の共通連結部１７ｃ、１８ｃのうち、上側に位置する白鍵ユニット１７の共通連結部１７ｃには、位置規制用の突起部３６が下側に突出して設けられている。
【００５１】
この突起部３６は、図９および図１０に示すように、その下側に配置された黒鍵ユニット１８の共通連結部１８ｃに設けられた挿入孔３７に挿入されて黒鍵ユニット１８の共通連結部１８ｃの下側に突出し、この突出した下端部が鍵盤シャーシ２の鍵支持部１２に設けられた位置決め孔３５に嵌合するように構成されている。また、この突起部３６には、ねじ部材３８が螺合するねじ孔３９が設けられている。
【００５２】
この場合、回路基板１３には、共通連結部１７ｃ、１８ｃに設けられた取付孔２０に対応する取付孔１３ａと、白鍵ユニット１７の共通連結部１ｃに設けられた突起部３６のねじ孔３９に対応する取付孔１３ｂとが設けられている。これにより、回路基板１３は、実施形態１と同様、ねじ部材２３によって共通連結部１７ｃ、１８ｃと共に鍵盤シャーシ２の鍵支持部１２上に取り付けられると共に、ねじ部材３８によって白鍵ユニット１７の共通連結部１７ｃ上に取り付けられるように構成されている。
【００５３】
次に、このような電子鍵盤楽器を組み立てる場合について説明する。
まず、図７に示すように、白鍵ユニット１７の各白鍵１７ａ間に黒鍵ユニット１８の各黒鍵１８ａを配置して、白鍵ユニット１７の共通連結部１７ｃを黒鍵ユニット１８の共通連結部１８ｃ上に重ね合わせる。
【００５４】
このときには、図９および図１０に示すように、白鍵ユニット１７の共通連結部１７ｃに設けられた突起部３６を黒鍵ユニット１８の共通連結部１８ｃに設けられた挿入孔３７に挿入させる。これにより、白鍵ユニット１７の共通連結部１７ｃと黒鍵ユニット１８の共通連結部１８ｃとが相互に位置規制され、各共通連結部１７ｃ、１８ｃにそれぞれ設けられた取付孔２０が互いに対応する。
【００５５】
この状態で、図８〜図１０に示すように、重ね合わされた共通連結部１７ｃ、１８ｃを鍵盤シャーシ２の鍵支持部１２上に配置する。このときには、図９および図１０に示すように、白鍵ユニット１７の共通連結部１７ｃに設けられた突起部３６が、黒鍵ユニット１８の共通連結部１８ｃに設けられた挿入孔３７に挿入されて下側に突出しているので、この突出した突起部３６の下端部を鍵盤シャーシ２の鍵支持部１２に設けられた位置決め孔３５に嵌着させる。これにより、白鍵ユニット１７と黒鍵ユニット１８との各共通連結部１７ｃ、１８ｃが鍵盤シャーシ２の鍵支持部１２に位置決めされる。
【００５６】
この後、位置決めされた共通連結部１７ｃ、１８ｃ上に回路基板１３を配置する。このときには、図９および図１０に示すように、回路基板１３に設けられた取付孔１３ａを共通連結部１７ｃ、１８ｃの取付孔２０に対応させると共に、回路基板１３に設けられた取付孔１３ｂを白鍵ユニット１７の共通連結部１７ｃに設けられた突起部３６のねじ孔３９に対応させる。
【００５７】
この状態で、図７〜図１０に示すように、ねじ部材２３によって回路基板１３を共通連結部１７ｃ、１８ｃと共に鍵盤シャーシ２の鍵支持部１２上に取り付けると共に、ねじ部材３８によって回路基板１３を共通連結部１７ｃ、１８ｃ上に取り付ける。これにより、鍵盤シャーシ２の鍵支持部１２上に白鍵ユニット１７と黒鍵ユニット１８との各共通連結部１７ｃ、１８ｃおよび回路基板１３４が取り付けられる。
【００５８】
このように、この電子鍵盤楽器によれば、実施形態１と同様の作用効果があるほか、複数の鍵４の共通連結部１７ｃ、１８ｃのうち、上側に位置する白鍵ユニット１７の共通連結部１７ｃに位置規制用の突起部３６を設け、この位置規制用の突起部３６によって複数の鍵４の共通連結部１７ｃ、１８ｃを位置決めすると共に、この共通連結部１７ｃ、１８ｃ上に回路基板１３を精度良く確実に取り付けることができる。
【００５９】
すなわち、上側に位置する白鍵ユニット１７の共通連結部１７ｃに位置規制用の突起部３６が下側に突出して設けられているので、この突起部３６を黒鍵ユニット１８の共通連結部１８ｃに設けられた挿入孔３７に挿入させることにより、白鍵ユニット１７と黒鍵ユニット１８とを精度良く組み合わせることができる。
【００６０】
この場合、鍵盤シャーシ２の鍵支持部１２には、位置決め孔３５が設けられていることにより、この鍵支持部１２の位置決め孔３５に白鍵ユニット１７の位置規制用の突起部３６を嵌着させることにより、鍵盤シャーシ２の鍵支持部１２上に白鍵ユニット１７と黒鍵ユニット１８とを正確に取り付けることができ、これにより白鍵ユニット１７と黒鍵ユニット１８との共通連結部１７ｃ、１８ｃ上に回路基板１３を正確に且つ強固に取り付けることができる。
【００６１】
なお、上述した実施形態２では、白鍵ユニット１７の共通連結部１７ｃに突起部３６を設け、この突起部３６を黒鍵ユニット１８の共通連結部１８ｃに設けられた挿入孔３７に挿入させて下側に突出させ、この突出した突起部３６を鍵盤シャーシ２の鍵支持部１２に設けられた位置決め孔３５に嵌合させるように構成した場合について述べたが、これに限らず、例えば黒鍵ユニット１８の共通連結部１８ｃに位置規制用の突起部３６を設けた構成にしても良い。
【００６２】
この場合にも、黒鍵ユニット１８の突起部３６は、鍵盤シャーシ２の鍵支持部１２に設けられた位置決め孔３５に嵌合するように構成すれば良く、また黒鍵ユニット１８の突起部３６には、ねじ孔３９を設けておけば良い。さらに、白鍵ユニット１７の共通連結部１７ｃには、ねじ部材３８が挿入する挿入孔を突起部３６のねじ孔３９に対応させて設けておけば良い。このような構成でも、実施形態２と同様の作用効果がある。
【００６３】
（実施形態３）
次に、図１１〜図１５を参照して、この発明を適用した電子鍵盤楽器の実施形態３について説明する。この場合にも、図１〜図６に示された実施形態１と同一部分に同一符号を付して説明する。
この電子鍵盤楽器は、図１１および図１５に示すように、鍵盤シャーシ２の鍵支持部１２に鍵４の共通連結部１７ｃ、１８ｃを第１ねじ部材４０で取り付け、この共通連結部１７ｃ、１８ｃに回路基板１３を第２ねじ部材４１で取り付けた構成であり、これ以外は実施形態１とほぼ同じ構成になっている。
【００６４】
この場合、複数の鍵４の共通連結部１７ｃ、１８ｃのうち、上側に位置する白鍵ユニット１７の共通連結部１７ｃの所定箇所には、図１１〜図１３に示すように、第１ねじ部材４０が挿入する取付孔２０が設けられている。また、この白鍵ユニット１７の共通連結部１７ｃの他の所定箇所には、図１２〜図１５に示すように、回路基板１３を支持する支持突起部４２が上方に突出して設けられている。
【００６５】
この支持突起部４２は、図１３〜図１５に示すように、その高さが第１ねじ部材４０の頭部４０ａと同じか、それよりも少し高く形成されている。また、この支持突起部４２には、第２ねじ部材４１が螺合するねじ穴４３が設けられている。一方、白鍵ユニット１７の下側に配置された黒鍵ユニット１８の共通連結部１８ｃには、図１１〜図１３、および図１５に示すように、第１ねじ部材４０が挿入する取付孔２０が鍵盤シャーシ２の鍵支持部１２に設けられたボス部１２ａのねじ孔１２ｂに対応して設けられている。
【００６６】
これにより、白鍵ユニット１７と黒鍵ユニット１８との各共通連結部１７ｃ、１８ｃは、実施形態１と同様、その両者が重ね合わされて各取付孔２０が上下に対応した状態で鍵盤シャーシ２の鍵支持部１２上に配置され、この状態で第１ねじ部材４０が取付孔２０に挿入されて鍵支持部１２のボス部１２ａのねじ孔１２ｂに螺入して締め付けられることにより、図１３に示すように、鍵盤シャーシ２上に取り付けられるように構成されている。
【００６７】
この場合、回路基板１３には、図１４に示すように、白鍵ユニット１７の共通連結部１７ｃに設けられた支持突起部４２のねじ穴４３に対応して取付孔１３ｃが設けられている。これにより、回路基板１３は、図１３〜図１５に示すように、白鍵ユニット１７の共通連結部１７ｃに設けられた支持突起部４２上に配置されて、回路基板１３の取付孔１３ｃが支持突起部４２のねじ穴４３に対応するように構成されている。
【００６８】
また、この回路基板１３は、図１４および図１５に示すように、白鍵ユニット１７の共通連結部１７ｃに設けられた支持突起部４２上に配置されて、回路基板１３の取付孔１３ｃと支持突起部４２のねじ穴４３とが対応した状態で、第２ねじ部材が回路基板１３の取付孔１３ｃを通して共通連結部１７ｃの支持突起部４２に設けられたねじ穴４３に螺着することにより、白鍵ユニット１７の共通連結部１７ｃに設けられた支持突起部４２上に取り付けられるように構成されている。
【００６９】
次に、このような電子鍵盤楽器を組み立てる場合について説明する。
まず、図１２に示すように、白鍵ユニット１７の各白鍵１７ａ間に黒鍵ユニット１８の各黒鍵１８ａを配置して、白鍵ユニット１７の共通連結部１７ｃを黒鍵ユニット１８の共通連結部１８ｃ上に重ね合わせる。これにより、実施形態１とほぼ同様に、白鍵ユニット１７の共通連結部１７ｃと黒鍵ユニット１８の共通連結部１８ｃとにそれぞれ設けられた取付孔２０が互いに対応する。
【００７０】
この状態で、図１３に示すように、重ね合わされた共通連結部１７ｃ、１８ｃを鍵盤シャーシ２の鍵支持部１２上に配置して、共通連結部１７ｃ、１８ｃの各取付孔２０を鍵支持部１２に設けられたボス部１２ａのねじ孔１２ｂに対応させる。この状態で、第１ねじ部材４０を共通連結部１７ｃ、１８ｃの各取付孔２０に挿入させて鍵支持部１２のボス部１２ａのねじ孔１２ｂに螺入させて締め付けることにより、共通連結部１７ｃ、１８ｃが鍵盤シャーシ２の鍵支持部１２上に取り付けられる。
【００７１】
この後、図１４に示すように、白鍵ユニット１７の共通連結部１７ｃに設けられた支持突起部４２上に回路基板１３を配置して、回路基板１３の取付孔１３ｃを支持突起部４２のねじ穴４３に対応させる。この状態で、第２ねじ部材４１を回路基板１３の取付孔１３ｃに挿入させて共通連結部１７ｃの支持突起部４２に設けられたねじ穴４３に螺入して締め付ける。これにより、図１３〜図１５に示すように、回路基板１３が白鍵ユニット１７の共通連結部１７ｃに設けられた支持突起部４２上に取り付けられる。
【００７２】
このように、この電子鍵盤楽器によれば、複数の鍵４の共通連結部１７ｃ、１８ｃのうち、上側に位置する白鍵ユニット１７の共通連結部１７ｃに、これと回路基板１３との間に隙間を設けるための支持突起部４２を設けたことにより、この支持突起部４２上に回路基板１３を配置することができる。このため、複数の鍵４の共通連結部１７ｃ、１８ｃを鍵盤シャーシ２の鍵支持部１２上に第１ねじ部材４０によって取り付けても、その第１ねじ部材４０の頭部４０ａが邪魔になることなく、回路基板１３を複数の鍵４の共通連結部１７ｃ、１８ｃ上に配置することができる。
【００７３】
このため、回路基板１３を演奏者側に最も近づけて配置することできるので、上部ケース３および鍵盤シャーシ２の前後方向の長さを最も短くすることができ、これにより楽器全体の更なる小型化を図ることができると共に、共通連結部１７ｃと回路基板１３との間に隙間が設けられていることにより、回路基板１３の下面にも電子部品を良好に且つ十分に設けることができる。
【００７４】
また、この電子鍵盤楽器では、複数の鍵４の共通連結部１７ｃ、１８ｃを重ね合わせて鍵盤シャーシ２の鍵支持部１２上に第１ねじ部材４０で取り付けた後に、この共通連結部１７ｃ、１８ｃ上に回路基板１３を配置して第２ねじ部材４１によって取り付けることができるので、実施形態１と同様、組み立て作業性および配線作業性が良く、且つ楽器本体の簡素化を図り、楽器全体の薄型化をも図ることができる。
【００７５】
（実施形態４）
次に、図１６を参照して、この発明を適用した電子鍵盤楽器の実施形態４について説明する。この場合にも、図１〜図６に示された実施形態１と同一部分に同一符号を付して説明する。
この電子鍵盤楽器は、図１６に示すように、複数の鍵４を搭載した鍵盤シャーシ５０を楽器本体５１内に配置した構成であり、これ以外は実施形態１とほぼ同じ構成になっている。
【００７６】
すなわち、この楽器本体５１は、図１６に示すように、下部ケース５２と上部ケース３とを備えている。下部ケース５２は、鍵盤シャーシ５０が配置される底板部５３と、鍵盤シャーシ５０上に配置された複数の鍵４の前端下部を覆う前カバー部５４と、鍵盤シャーシ５０の後端部を覆う後カバー部５５と、鍵盤シャーシ５０の両側部を塞ぐ側板部５６とを備えている。上部ケース３は、実施形態１と同様、複数の鍵４の後部、およびその後部側の回路基板１３を覆って下部ケース５２の後カバー部５５上にビス３０によって取り付けられるように構成されている。
【００７７】
鍵盤シャーシ５０は、実施形態１の鍵盤シャーシ２とほぼ同じ構成であり、図１６に示すように、下部ケース５２の底板部５３上に配置された状態で、複数のビス５７によって取り付けられている。この場合、鍵盤シャーシ５０は、実施形態１の鍵盤シャーシ２における前カバー部５および後カバー部１６が設けられていない以外は、実施形態１と同じ構成になっている。また、複数の鍵４の共通連結部１７ｃ、１８ｃ上には、実施形態１と同様に、回路基板１３が取り付けられている。
【００７８】
このような電子鍵盤楽器によれば、実施形態１と同様に、鍵盤シャーシ５０の鍵盤支持部１２上に複数の鍵４の共通連結部１７ｃ、１８ｃをねじ部材２３によって取り付ける際に、回路基板１３を取り付けることができ、この状態で複数の鍵４間の隙間調整ができると共に、スイッチ基板１０と回路基板１３との接続配線ができるほか、製品前の検査をも行うことができる。
【００７９】
このため、この電子鍵盤楽器では、鍵盤シャーシ５０の鍵盤支持部１２上に複数の鍵４の共通連結部１７ｃ、１８ｃと共に回路基板１３をねじ部材２３によって取り付けた状態で、この鍵盤シャーシ５０を楽器本体５１の下部ケース５２内に組み込むことができると共に、複数の鍵４の端部および回路基板１３を覆って上部ケース３を設けることができるので、実施形態１と同様、組み立て作業性および配線作業性の向上を図ることができる。
【００８０】
この場合にも、上部ケース３には、操作スイッチ２５、表示パネル２６、およびランプ２７が挿入して上方に露出する開口孔３１を設けるだけで良いので、上部ケース３の簡素化を図ることができると共に、上部ケース３の上面を回路基板１３に接近させることができるので、上部ケース３の高さを黒鍵１８ａの高さとほぼ同じ高さにすることができ、これにより上部ケース３の厚みを薄くして、楽器全体の薄型化をも図ることができる。
【符号の説明】
【００８１】
１、５１  楽器本体
２、５０  鍵盤シャーシ
３  上部ケース
４  鍵
１０  スイッチ基板
１２  鍵支持部
１２ａ  ボス部
１３  回路基板
１３ａ、１３ｂ、１３ｃ  回路基板の取付孔
１４  補助支持部
１７  白鍵ユニット
１７ａ  白鍵
１７ｂ  屈曲部
１７ｃ  共通連結部
１８  黒鍵ユニット
１８ａ  黒鍵
１８ｂ  屈曲部
１８ｃ  共通連結部
２０  共通連結部の取付孔
２３、３８  ねじ部材
３５  位置決め孔
３６  位置規制用の突起部
３７  挿入孔
４０  第１ねじ部材
４１  第２ねじ部材
４２  支持突起部
４３  ねじ穴
５２  下部ケース
【図１】
2011043595.tif 000003
【図２】
2011043595.tif 000004
【図３】
2011043595.tif 000005
【図４】
2011043595.tif 000006
【図５】
2011043595.tif 000007
【図６】
2011043595.tif 000008
【図７】
2011043595.tif 000009
【図８】
2011043595.tif 000010
【図９】
2011043595.tif 000011
【図１０】
2011043595.tif 000012
【図１１】
2011043595.tif 000013
【図１２】
2011043595.tif 000014
【図１３】
2011043595.tif 000015
【図１４】
2011043595.tif 000016
【図１５】
2011043595.tif 000017
【図１６】
2011043595.tif 000018